(57)【要約】【課題】  審美的に優れており堅牢性が高く、設計が単純であり製造コストが低いような、ブレスレットを腕時計のような携行型時計に取り付けるための一体化された棒体を提供する。【解決手段】  本発明は、ブレスレットを携行型時計に取り付けるための一体化された棒体（１）に関する。当該棒体（１）は、長手方向（Ｄ１）に延在しており、２つのピボット（２）と、及びこの２つのピボット（２）どうしを接続する本体（４）とを有する。各ピボット（２）は、携行型時計のケースの対応するホーンの対応するハウジングへと入れ込まれるように意図されている。本体（４）は、互いに接続される複数の要素（６）を有する。各要素（６）には、空欠部（８）があり、これによって、棒体（１）に長手方向の弾性を与えて、長手方向（Ｄ１）における弾性変形を可能にする。【選択図】  図１
2020069393.tif 000002
【特許請求の範囲】
【請求項１】
ブレスレットを携行型時計に取り付けるための一体化された棒体（１）であって、
当該棒体（１）は、長手方向（Ｄ１）に延在しており、２つのピボット（２）と、及びこの２つのピボット（２）どうしを接続する本体（４）とを有し、
各ピボット（２）は、携行型時計のケースの対応するホーンの対応するハウジングへと入れ込まれるように意図されており、
前記本体（４）は、互いに接続される複数の要素（６）を有し、
各要素（６）には、空欠部（８）があり、これによって、前記棒体（１）に前記長手方向の弾性を与えて、前記長手方向（Ｄ１）における弾性変形を可能にする
ことを特徴とする一体化された棒体（１）。
【請求項２】
実質的に前記要素（６）の中央部に、各要素（６）の前記空欠部（８）がある。
ことを特徴とする請求項１に記載の一体化された棒体（１）。
【請求項３】
各要素（６）の前記空欠部（８）は、前記棒体（１）が延在している前記長手方向（Ｄ１）に対して垂直の方向（Ｄ２）に延在している
ことを特徴とする請求項１又は２に記載の一体化された棒体（１）。
【請求項４】
各要素（６）は、前記空欠部（８）を包囲する周部フレーム（１０）を有し、
前記要素（６）の前記周部フレーム（１０）は、互いに接続されている。
ことを特徴とする請求項１〜３のいずれか一項に記載の一体化された棒体（１）。
【請求項５】
各要素（６）の前記周部フレーム（１０）は、実質的に閉じた「Ｍ字」の形をしており、
前記要素（６）の前記周部フレーム（１０）は、長手方向の接続メンバー（１２）によって互いに接続しており、
各長手方向の接続メンバー（１２）は、１つの要素（６）の「Ｍ字」を閉じるフレームの部分（１４）を、別の要素（６）の「Ｍ字」の中央部分の鋭角を形成するフレームの部分（１６）に接続する。
ことを特徴とする請求項４に記載の一体化された棒体（１）。
【請求項６】
前記本体（４）には、周部フレーム（１０）が実質的に閉じた「Ｍ字」の形となっている要素（６）の第１のセット（２０）と、及び周部フレーム（１０）が実質的に閉じた「Ｍ字」の形となっている要素（６）の第２のセット（２２）とがあり、
前記第１のセット（２０）の要素（６）の数は、前記第２のセット（２２）の要素（６）の数と等しく、
前記第１のセット（２０）の要素群（６）は、前記棒体（１）が延在している前記長手方向（Ｄ１）に沿った同じ第１の方向を向いており、
前記第２のセット（２２）の要素群（６）は、前記長手方向（Ｄ１）に対して垂直な正中面（Ｐ１）に対して前記第１のセット（２０）の要素群（６）と対称的に構成しており、前記長手方向（Ｄ１）に沿って、前記第１の方向とは反対の第２の方向を向いている。
ことを特徴とする請求項５に記載の一体化された棒体（１）。
【請求項７】
請求項１〜６のいずれか一項に記載の一体化された棒体（１）を少なくとも１つ有する
ことを特徴とする腕時計。
【発明の詳細な説明】
【技術分野】
【０００１】
本発明は、ブレスレット又はストラップを携行型時計（例、腕時計、懐中時計）に取り付けるための一体化された棒体に関する。
【０００２】
本発明は、さらに、少なくとも１つのこのような一体化された棒体を有する腕時計に関する。
【背景技術】
【０００３】
腕時計の分野において、少なくとも１つのばね棒体によってブレスレットを携行型時計に取り付けることが知られている。例えば、携行型時計の両端には２つのピボットがあり、そこにばね棒体が設けられる。ピボットのうちの１つは伸縮可能であり、これによって、ブレスレットを携行型時計から取り外すことができる。ブレスレットのループにばね棒体が挿入され、各ピボットは、携行型時計のケースの対応するホーンの対応するハウジング内に入り込んで、ブレスレットを携行型時計に取り付けるように意図されている。このような棒体は、例えば、スイス特許ＣＨ３２７８３８Ａにおいて開示されている。棒体には、中空の本体と、中空の本体内に配置された２つのピボットと、ピボットの間で支持され中空の本体内に配置されたばねと、及び突起とを有する。２つのピボットは、中空の本体の対応する端内へと滑り込むことができる。ばねはピボットを押し戻して、ピボットの外端のそれぞれが携行型時計のケースのホーン内の対応するハウジング内に入り込む。突起は特殊工具によってアクチュエートすることができる。その際、ユーザーはこの特殊工具をブレスレットの一端へと入れ込み、ばねの作用に対抗するように突起を動かして、携行型時計のケースのホーンの対応するハウジングからピボットを取り外す。
【０００４】
しかし、このようなばね棒体は、異なる構成要素の数が多いため、製造が比較的複雑であり、これらの要素は１つずつ組み立てられマウントされる。このことは、これらの要素を製造しマウントすることに関して、いくつかの棒体を同時に作る場合には高コストである。また、この種のばね棒体を用いると、ユーザーは、１回の操作で又は工具なしで、両方のピボットを容易に伸縮することができない。
【０００５】
また、この課題を克服するために、様々なアプリケーションの分野、例えば、計時器の分野において、単一の材料片によって作られた弾性スナップフィットメンバーが知られている。この種の一体化されたスナップフィットメンバーは、例えば、欧州特許出願ＥＰ１３５１１０６Ａ１に記載されている。このスナップフィットメンバーは、第２の要素に対して第１の要素を保持することを可能にし、そして、例えば、ブレスレットを携行型時計に取り付けるための一体化された棒体を形成する。一体化された棒体には、シャフトによって接続された２つの端があり、このシャフトは、その軸方向にて弾性変形することができる。シャフトの長手方向の弾性は、このシャフトの長さに沿ってこのシャフトにいくつかの開口があることによって発生する。この開口は、シャフトの正中面の両側にて交互に形成される。
【０００６】
しかし、このような一体化された棒体の課題として、複雑であり、作ることが高コストであることがある。
【発明の概要】
【発明が解決しようとする課題】
【０００７】
したがって、本発明は、審美的に優れており堅牢性が高い一体化された解決策を提供しつつ、設計が単純であり製造コストが低いような、ブレスレットを携行型時計に取り付けるための一体化された棒体を提供することを目的とする。
【課題を解決するための手段】
【０００８】
このために、本発明は、独立請求項１に記載の特徴を有するブレスレットを携行型時計に取り付けるための一体化された棒体に関する。
【０００９】
従属請求項２〜６には、棒体の特定の実施形態が定められている。
【００１０】
本発明の棒体の１つの利点は、棒体の本体が互いに接続された複数の要素を有することに基づいている。各要素には空欠部があり、棒体に長手方向の弾性を与え、棒体の長手方向の弾性変形を可能にする。
【００１１】
本発明の特定の技術的特徴によると、各要素には、空欠部を包囲する周部フレームがあり、要素の周部フレームどうしが互いに接続している。
【００１２】
好ましくは、各要素の周部フレームは、実質的に閉じた「Ｍ字」の形をしており、これらの要素の周部フレームは、長手方向の接続メンバーを介して互いに接続され、各長手方向の接続メンバーは、１つの要素の「Ｍ字」を閉じるフレームの一部を、別の要素の「Ｍ字」の中央部分の鋭角を形成するフレームの部分に接続する。このことによって、可撓性、弾性及び破壊強さの間の良好な折衷の結果を棒体に与える。また、このような棒体は寿命が長い。なぜなら、その材料に加工をしてもエイジングがほとんど発生しないからである。
【００１３】
好ましくは、前記本体には、周部フレームが実質的に閉じた「Ｍ字」の形となっている要素の第１のセットと、及び周部フレームが実質的に閉じた「Ｍ字」の形となっている要素の第２のセットとがあり、前記第１のセットの要素の数は、前記第２のセットの要素の数と等しい。前記第１のセットの要素群は、棒体が延在している前記長手方向に沿った同じ第１の方向を向いており、前記第２のセットの要素群は、前記長手方向に対して垂直な正中面に対して第１のセットの要素群と対称的に構成しており、前記長手方向に沿って、前記第１の方向と反対の第２の方向を向いている。このような構成によって、ユーザーが棒体を収縮させる操作を行ったときに、均等に分布した圧縮力を棒体に及ぼすことが可能になる。このようにして、この構成は、棒体が機械的に破損するリスクを減らす。
【００１４】
このために、本発明は、さらに、従属請求項７に記載の特徴を有する上記の一体化された取り付け棒体を少なくとも１つ有する腕時計に関する。
【００１５】
図示された少なくとも１つの実施形態（これに限定されない）に基づく以下の説明を読むことによって、ブレスレットを携行型時計に取り付けるための一体化された棒体及びこれを有する腕時計についての目的、利点及び特徴を明確に理解することができるであろう。
【図面の簡単な説明】
【００１６】
【図１】本発明の例示的な実施形態に係るブレスレットを携行型時計に取り付けるための一体化された棒体の斜視図である。
【発明を実施するための形態】
【００１７】
図１は、本発明の例示的な実施形態に係るブレスレットを携行型時計に取り付けるための一体化された棒体１を示している。わかりやすくするためにブレスレットと携行型時計は図示していない。ブレスレットは、例えば、皮革、金属、セラミックス材料又は別の異なる材料で作られている。なお、これは本発明に関連して限定されない。
【００１８】
一体化された棒体１は２つのピボット２と、及びこれらの２つのピボット２を接続する本体４とを有する。一体化された棒体１は、ブレスレットのループに挿入されるように意図されており、各ピボット２は、携行型時計のケースの対応するホーンの対応するハウジング内に入り込んで、ブレスレットを携行型時計に取り付ける。一体化された棒体１は、長手方向Ｄ１に延在している。一体化された棒体１は、例えば、プラスチック材料やゴムによって作られている。なお、これは本発明に関連して限定されない。
【００１９】
本体４には、互いに接続されるいくつかの要素６がある。図１に示している例では、本体４には８つの要素６がある。各要素６には、空欠部８がある。本体４の要素６にこれらの空欠部８があることによって、棒体１に長手方向の弾性を与え、棒体１が長手方向Ｄ１に弾性変形することが可能になる。好ましくは、図１に示しているように、実質的に要素６の中央部に、各要素６の空欠部８がある。また、好ましくは、各要素６の空欠部８は、棒体１が延在している長手方向Ｄ１に対して垂直な方向Ｄ２に延在している。また、好ましくは、各要素６には、空欠部８を包囲する周部フレーム１０がある。様々な要素６の周部フレーム１０は、互いに接続されている。両端の要素６の周部フレーム１０は、２つの本体の端に接続されている。
【００２０】
図１に示している特定の実施形態において、各要素６の周部フレーム１０は、実質的に、閉じた「Ｍ字」の形をしている。要素６の周部要素１０は、長手方向の接続メンバー１２によって互いに接続されている。２つの周部フレーム１０を接続する長手方向の接続メンバー１２はそれぞれ、具体的には、１つの要素６の「Ｍ字」を閉じるフレームの部分１４を、別の要素６の「Ｍ字」の中央部分の鋭角を形成する別のフレームの部分１６に接続する。また、本体４は、２つの端の長手方向の接続メンバー１８を有する。これらの端の長手方向の接続メンバー１８はそれぞれ、端の１つの要素６の周部フレーム１０を本体の端のうちの１つに接続する。より詳細には、図１に示している特定の実施形態において、これらの端の長手方向の接続メンバー１８はそれぞれ、端の１つの要素６の「Ｍ字」の中央部分の鋭角を形成するフレームの部分１６を本体の端のうちの１つに接続する。
【００２１】
図１に示している特定の実施形態において、本体４には、周部フレーム１０が実質的に閉じた「Ｍ字」の形となっている要素６の第１のセット２０と、及び周部フレーム１０が実質的に閉じた「Ｍ字」の形となっている要素６の第２のセット２２とがある。第１のセット２０の要素６の数は、第２のセット２２の要素６の数と等しい。図１に示した例において、第１のセット２０の要素６の数と第２のセット２２の要素６の数は、４である。第１のセット２０の要素群６は、長手方向Ｄ１に沿った同じ第１の方向を向いている。第２のセット２２の要素群６は、長手方向Ｄ１に垂直な正中面Ｐ１に対して第１のセット２０の要素群６と対称的に構成している。第２のセット２２の要素群６は、長手方向Ｄ１に沿って、第１の方向とは反対の第２の方向を向いている。
【００２２】
以下、本発明に係る一体化された棒体１の動作について説明する。
【００２３】
図１は、安静位における棒体１を示している。各ピボット２は、携行型時計のケースの対応するホーンの対応するハウジング内に挿入される。携行型時計のユーザーが、棒体１の中心の方へとピボット２に圧力をかけると、棒体１は、長手方向Ｄ１にて収縮する。この棒体１の変形は、空欠部が形成されている要素６の存在によって促進される。この変形によって、棒体１を携行型時計のケースのホーンの間の位置から解放し、これによって、携行型時計がブレスレットから解放される。携行型時計のユーザーがピボット２に対する圧力を解放すると、棒体１は、空欠部が形成されている要素６によって与えられる弾性応力のおかげで、その初期の形に戻る。このようにして、棒体１は再び安静位になる。
【符号の説明】
【００２４】
１  棒体
２  ピボット
４  本体
６  要素
８  空欠部
１０  周部フレーム
１２  長手方向の接続メンバー
１４  「Ｍ字」を閉じるフレームの部分
１６  「Ｍ字」の中央部分の鋭角を形成するフレームの部分
１８  端の長手方向の接続メンバー
２０  要素の第１のセット
２２  要素の第２のセット
Ｄ１  長手方向
Ｄ２  長手方向に対して垂直の方向
Ｐ１  長手方向に対して垂直な正中面
【図１】
2020069393.tif 000003
【外国語明細書】
2020069393000001.pdf